【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  ｉ）  希土類カルボキシレート
ii）  水、及び
iii)  有機溶剤
を含む希土類カルボキシレートの液体組成物であって、希土類元素に対する水のモル比が６以下であり、組成物の４.５〜２０重量％が希土類元素を含む、組成物。
【請求項２】  希土類カルボキシレートが、６〜３２個の炭素を有するカルボン酸の希土類カルボキシレートである、請求項１に記載の液体希土類カルボキシレート組成物。
【請求項３】  希土類カルボキシレートが、カルボン酸ネオジム、カルボン酸ランタン、カルボン酸プラセオジム、カルボン酸セリウム及びそれらの混合物から成るグループの中から選択される、請求項１に記載の液体希土類カルボキシレート組成物。
【請求項４】  有機溶剤が、ヘキサン、シクロヘキサン、ヘプタン、ペンタン、メチルペンタン、メチルシクロペンタン、ブタン、トルエン及びそれらの混合物から成るグループの中から選択される、請求項３に記載の液体希土類カルボキシレート組成物。
【請求項５】  組成物の４.５〜１４重量％が希土類元素を含んで成る、請求項３に記載の液体希土類カルボキシレート組成物。
【請求項６】  組成物の６〜１０重量％が希土類元素を含んで成る、請求項３に記載の液体希土類カルボキシレート組成物。
【請求項７】  組成物の７〜１０重量％が希土類元素を含んで成る、請求項３に記載の液体希土類カルボキシレート組成物。
【請求項８】  希土類元素に対する水のモル比が０.１以下である、請求項１に記載の液体希土類カルボキシレート組成物。
【請求項９】  希土類カルボキシレートが、イソペンタン酸、ヘキサン酸、２−エチル酪酸、ノナン酸、デカン酸、２−エチルヘキサン酸、イソオクタン酸、オクタン酸、イソノナン酸、ネオデカン酸、ウンデシレン酸、ラウリン酸、パルミチン酸、ステアリン酸、オレイン酸、リノール酸、ナフテン酸及びそれらの混合物から成るグループの中から選択されたカルボン酸の希土類カルボキシレートである、請求項３に記載の液体希土類カルボキシレート組成物。
【請求項１０】  希土類カルボキシレートが、ネオデカン酸、２−エチルヘキサン酸、ナフテン酸、２−メチルブタン酸、３−メチルブタン酸、２，２−ジメチルプロピオン酸、３，５−ジメチルヘキサン酸、２−エチルペンタン酸、２，５−ジメチルヘキサン酸、３−エチルヘキサン酸、２，２，４−トリメチルヘキサン二酸、３，３，４−トリメチルヘキサン二酸、ネノデカン酸、オクタン酸、２，６−ジメチルオクタン酸、４，６−ジメチルオクタン酸、２，４，６−トリメチルオクタン酸、２，４，６−トリメチルノナン酸、２，４，６−トリメチルノナコサン酸及びそれらの混合物から成るグループの中から選択されたカルボン酸の希土類カルボキシレートである、請求項３に記載の液体希土類カルボキシレート組成物。
【請求項１１】  カルボン酸が、ナフテン酸、ネオデカン酸、２−エチルヘキサン酸、オクタン酸及びそれらの混合物から成るグループの中から選択されている、請求項１０に記載の液体希土類カルボキシレート組成物。
【請求項１２】  有機溶剤が、ヘキサン、シクロヘキサン、メチルペンタン、ヘプタン及びそれらの混合物から成るグループの中から選択される、請求項１１に記載の液体希土類カルボキシレート組成物。
【請求項１３】  希土類元素がネオジムである、請求項１２に記載の液体希土類カルボキシレート組成物。
【請求項１４】  希土類元素に対する水のモル比が０.０３から５である、請求項１１に記載の液体希土類カルボキシレート組成物。
【請求項１５】  希土類元素に対する水のモル比が０.０５以下である、請求項１１に記載の液体希土類カルボキシレート組成物。
【請求項１６】  ｉ）  希土類カルボキシレート
ii）  遊離酸、及び
iii)  有機溶剤
を含む希土類カルボキシレートの液体組成物であって、希土類元素に対する遊離酸のモル比が５以下であり、組成物の４.５〜２０重量％が希土類元素を含む、組成物。
【請求項１７】  希土類カルボキシレートが、カルボン酸ネオジム、カルボン酸ランタン、カルボン酸プラセオジム、カルボン酸セリウム及びそれらの混合物から成るグループの中から選択される、請求項１６に記載の液体希土類カルボキシレート組成物。
【請求項１８】  有機溶剤が、ヘキサン、シクロヘキサン、ヘプタン、ペンタン、メチルペンタン、メチルシクロペンタン、ブタン、トルエン及びそれらの混合物から成るグループの中から選択される、請求項１７に記載の液体希土類カルボキシレート組成物。
【請求項１９】  組成物の４.５〜１４重量％が希土類元素である、成る、請求項１７に記載の液体希土類カルボキシレート組成物。
【請求項２０】  組成物の６〜１０重量％が希土類元素である、請求項１７に記載の液体希土類カルボキシレート組成物。
【請求項２１】  組成物の７〜１０重量％が希土類元素である、請求項１７に記載の液体希土類カルボキシレート組成物。
【請求項２２】  希土類元素に対する遊離酸のモル比が２以下である、請求項１６記載の液体希土類カルボキシレート組成物。
【請求項２３】  前記遊離酸が、モノ及びジカルボン酸；リンベースの酸及びそのエステル；硫黄ベースの酸及びそのエステル；ホウ素ベースの酸及びそれらの混合物から成るグループの中から選択された酸から誘導される、請求項１６に記載の液体希土類カルボキシレート組成物。
【請求項２４】  前記酸が、イソペンタン酸；ヘキサン酸；２−エチル酪酸；ノナル酸；デカン酸；２−エチルヘキサン酸；イソオクタン酸；オクタン酸；イソノナン酸；ネオデカン酸；ウンデシレン酸；ラウリン酸；パルミチン酸；ステアリン酸；オレイン酸；リノール酸；ナフテン酸；リン酸；ｏ−亜リン酸；モノアルキルホスホン酸；アルキルホスホン酸のモノエステル；ホスフィン酸の有機誘導体、硫酸の有機誘導体；ピロ硫酸；アルカン及びアレーンスルホン酸；スルファミン酸；スルファニル酸；アルカン及びアレーンスルフィン酸；ホウ酸；メタホウ酸；及びそれらの混合物から成るグループの中から選択されている請求項２３に記載の液体希土類カルボキシレート組成物。
【請求項２５】  希土類カルボキシレートが、イソペンタン酸、ヘキサン酸、２−エチル酪酸、ノナン酸、デカン酸、２−エチルヘキサン酸、イソオクタン酸、オクタン酸、イソノナン酸、ネオデカン酸、ウンデシレン酸、ラウリン酸、パルミチン酸、ステアリン酸、オレイン酸、リノール酸、ナフテン酸及びそれらの混合物から成るグループの中から選択された酸のカルボキシレートである、請求項１７に記載の液体希土類カルボキシレート組成物。
【請求項２６】  希土類カルボキシレートが、ネオデカン酸、２−エチルヘキサン酸、ナフテン酸、２−メチルブタン酸、３−メチルブタン酸、２，２−ジメチルプロピオン酸、３，５−ジメチルヘキサン酸、２−エチルペンタン酸、２，５−ジメチルヘキサン酸、３−エチルヘキサン酸、２，２，４−トリメチルヘキサン二酸、３，３，４−トリメチルヘキサン二酸、ネノデカン酸、オクタン酸、２，６−ジメチルオクタン酸、４，６−ジメチルオクタン酸、２，４，６−トリメチルオクタン酸、２，４，６−トリメチルノナン酸、２，４，６−トリメチルノナコサン酸及びそれらの混合物から成るグループの中から選択された酸のカルボキシレートである、請求項１７に記載の液体希土類カルボキシレート組成物。
【請求項２７】  酸が、ナフテン酸、ネオデカン酸、２−エチルヘキサン酸、オクタン酸及びそれらの混合物から成るグループの中から選択されている、請求項２５に記載の液体希土類カルボキシレート組成物。
【請求項２８】  有機溶剤が、ヘキサン、シクロヘキサン、メチルペンタン、ヘプタン及びそれらの混合物から成るグループの中から選択される、請求項２７に記載の液体希土類カルボキシレート組成物。
【請求項２９】  希土類カルボキシレートがカルボン酸ネオジムである、請求項２８に記載の液体希土類カルボキシレート組成物。
【請求項３０】  希土類元素に対する遊離酸のモル比が０.０３から５である、請求項２７に記載の液体希土類カルボキシレート組成物。
【請求項３１】  希土類元素に対する遊離酸のモル比が１以下である、請求項１６に記載の液体希土類カルボキシレート組成物。
【請求項３２】  粘度が３００mPa・s（３００cps ）未満である、請求項１６に記載の液体希土類カルボキシレート組成物。
【請求項３３】  粘度が２００mPa・s（２００cps ）未満である、請求項１６に記載の液体希土類カルボキシレート組成物。
【請求項３４】  さらに水を含み、希土類元素に対する水のモル比が６以下である、請求項１６に記載の液体希土類カルボキシレート組成物。
【請求項３５】  希土類元素に対する水のモル比が０.１以下である、請求項３４に記載の液体希土類カルボキシレート組成物。
【請求項３６】  粘度が３００mPa・s（３００cps ）未満である、請求項１に記載の液体希土類カルボキシレート組成物。
【請求項３７】  粘度が２００mPa・s（２００cps ）未満である、請求項３６に記載の液体希土類カルボキシレート組成物。
【請求項３８】  液体希土類カルボキシレートを作製する方法であって、
５以下の遊離酸対希土類元素のモル比を達成するように、モノ及びジカルボン酸；リンベースの酸及びそのエステル；硫黄ベースの酸及びそのエステル；ホウ素ベースの酸及びそれらの混合物から成るグループの中から選択された酸を添加する段階；を含んで成り、組成物の４.５〜２０重量％が希土類元素である、方法。
【請求項３９】  前記酸が、イソペンタン酸；ヘキサン酸；２−エチル酪酸；ノナン酸；デカン酸；２−エチルヘキサン酸；イソオクタン酸；オクタン酸；イソノナン酸；ネオデカン酸；ウンデシレン酸；ラウリン酸；パルミチン酸；ステアリン酸；オレイン酸；リノール酸；ナフテン酸；リン酸；ｏ−亜リン酸；モノアルキルホスホン酸；アルキルホスホン酸のモノエステル；ホスフィン酸の有機誘導体、硫酸の有機誘導体；ピロ硫酸；アルカン及びアレーンスルホン酸；スルファミン酸；スルファニル酸；アルカン及びアレーンスルフィン酸；ホウ酸；メタホウ酸；及びそれらの混合物から成るグループの中から選択されている請求項３８に記載の方法。
【請求項４０】  モル比が１以下である、請求項３９に記載の方法。
【請求項４１】  ４.５〜２０％の希土類元素を有する液体希土類カルボキシレートを作製する方法であって、
６以下の水対希土類元素のモル比を達成するように水を添加する段階、
を含んで成る方法。
【請求項４２】  モル比が０.１以下である、請求項４１に記載の方法。
【請求項４３】  液体希土類カルボキシレートを作製するための方法であって、
ａ）  希土類元素に対する遊離酸のモル比を５以下に調整する段階、又は
ｂ）  希土類元素に対する水のモル比を６以下に調整する段階、又は、
ｃ）  モル比の合計が０.３５以上となるような形で、希土類元素に対する遊離酸のモル比及び希土類元素に対する水のモル比を調整する段階、
を含んで成る方法。
【請求項４４】  前記希土類元素に対する遊離酸のモル比が２以下であり、前記希土類元素に対する水のモル比が０.１以下であり、前記モル比の合計が０.４以上である、請求項４３に記載の方法。
【請求項４５】  ａ）  カルボン酸を水中塩基と反応させることによって、７.５〜１２のｐＨをもつカルボキシレート溶液を調製する段階、
ｂ）  水性層及び有機層をもつ液体を形成するべく有機溶剤の存在下で水溶性希土類塩と前記カルボキシレート溶液を反応させる段階、
ｃ）  前記水性層を除去する段階、
ｄ）  希土類元素に対する遊離酸のモル比を５以下に調整するか又は、希土類元素に対する水のモル比を６以下に調整するか又は、モル比の合計が０.３５以上となるような形で、希土類元素に対する遊離酸のモル比及び希土類元素に対する水のモル比の両方を調整する段階、
を含んで成る、液体希土類カルボキシレートの作製方法。
【請求項４６】  カルボン酸の塩溶液のｐＨが８.５〜１１である、請求項４５に記載の方法。
【請求項４７】  ｉ）  Ｎｄ（Ｃ10Ｈ19Ｏ2）3という一般構造式のネオデカン酸ネオジム、
ii）  遊離酸、及び
iii)  ヘキサン、シクロヘキサン、メチルペンタン、ヘプタン、及びそれらの混合物から成るグループの中から選択された有機溶剤、
を含んで成り、希土類元素に対する遊離酸のモル比が５以下であり、組成物の４.５〜１４重量％が希土類元素を含む液体希土類カルボキシレート組成物。
【請求項４８】  有機溶剤がヘキサンであり、希土類元素に対する遊離酸の比が１以下であり、組成物の７〜１０重量％が希土類元素を含む、請求項４７に記載の液体希土類カルボキシレート組成物。
【請求項４９】  ｉ）  Ｎｄ（Ｃ10Ｈ19Ｏ2）3という一般構造式のネオデカン酸ネオジム、
ii）  水、及び
iii)  ヘキサン、シクロヘキサン、メチルペンタン及びそれらの混合物からなるグループから選択された有機溶剤、
を含む希土類カルボキシレートの液体組成物であって、希土類元素に対する水のモル比が５以下であり、組成物の４.５〜１４重量％が希土類元素を含む、組成物。
【請求項５０】  希土類元素に対する水のモル比が０．０５以下である、請求項４９に記載の液体希土類カルボキシレート組成物。
【請求項５１】  ｉ）  ２−エチルヘキサン酸ネオジム、オクタン酸ネオジム及びナフテン酸ネオジムから成るグループの中から選択された希土類カルボキシレート、
ii）  ２−エチルヘキサン酸、オクタン酸及びナフテン酸から成るグループの中から選択されたカルボン酸、
iii)    ヘキサン、シクロヘキサン、メチルペンタン、ヘプタン及びそれらの混合物から成るグループの中から選択された有機溶剤、
を含んで成り、希土類元素に対する遊離酸のモル比が５以下であり、組成物の４.５〜１２重量％が希土類元素を含む液体希土類カルボキシレート組成物。
【請求項５２】  希土類元素に対する遊離酸のモル比が１以下である、請求項５１に記載の液体希土類カルボキシレート組成物。
【請求項５３】  ｉ）  ２−エチルヘキサン酸ネオジム、オクタン酸ネオジム及びナフテン酸ネオジムから成るグループの中から選択された希土類カルボキシレート、
ii）  水、及び
iii)   ヘキサン、シクロヘキサン、メチルペンタン、ヘプタン及びそれらの混合物からなるグループから選択された有機溶剤、
を含む希土類カルボキシレートの液体組成物であって、希土類元素に対する水のモル比が５以下であり、組成物の４.５〜１２重量％が希土類元素を含む、組成物。
【請求項５４】  希土類元素に対する水のモル比が０．０５以下である、請求項５３に記載の液体希土類カルボキシレート組成物。
【請求項５５】  さらに水を含み、希土類元素に対する水のモル比と希土類元素に対する遊離酸のモル比の合計が０.３５以上である、請求項１６に記載の液体希土類カルボキシレート組成物。
【請求項５６】  さらに酸を含み、希土類元素に対する水のモル比と希土類元素に対する遊離酸のモル比の合計が０.３５以上である、請求項１に記載の液体希土類カルボキシレート組成物。
【請求項５７】  さらに水を含み、希土類元素に対する水のモル比と希土類元素に対する遊離酸のモル比の合計が０.４以上である、請求項１６に記載の液体希土類カルボキシレート組成物。
【請求項５８】  希土類元素に対する水のモル比と希土類元素に対する遊離酸のモル比の合計が０.３５以上となるような形で水、遊離酸又は水とカルボン酸の含有量を調整する段階、
を含んで成る液体希土類カルボキシレート組成物を作製する方法。
【請求項５９】  ｉ）  希土類カルボキシレート
ii）  遊離酸
iii)  有機溶剤
を含む液体希土類カルボキシレートを含む触媒組成物であって、希土類元素に対する水のモル比が６以下であり、希土類元素に対する遊離酸のモル比が５以下であるか又は、希土類元素に対する水のモル比と希土類要素に対する遊離酸のモル比の合計が０.３５以上であり、組成物の４.５〜２０重量％が希土類元素を含む、触媒組成物。
【請求項６０】  前記希土類元素に対する水のモル比が０.１以下であり、前記希土類元素に対する遊離酸のモル比が２以下であるか又は、前記希土類元素に対する水のモル比と希土類元素に対する遊離酸のモル比の合計が０.４以上である、請求項５９に記載の触媒組成物。
【請求項６１】  前記希土類元素が４.５〜１４％を含む、請求項６０に記載の触媒組成物。
【請求項６２】  前記希土類元素が６〜１０％を含む、請求項６１に記載の触媒組成物。
【請求項６３】  前記希土類元素が７〜１０％を含む、請求項６１に記載の触媒組成物。
【請求項６４】  ｉ）  希土類カルボキシレート
ii）  有機溶剤
iii)   水、及び
iv）  遊離酸
を含む触媒の存在下で共役ジエンを重合する段階を含んで成る、共役ジエン重合方法であって、希土類元素に対する水のモル比が６以下であり、希土類元素に対する遊離酸のモル比が５以下であるか又は、希土類元素に対する水のモル比と希土類元素に対する遊離酸のモル比の合計が０.３５以上であり、組成物の４.５〜２０重量％が希土類元素を含む方法。
【請求項６５】  請求項６０に記載の触媒組成物の存在下で共役ジエンを重合する段階を含んで成る、共役ジエン重合方法。
【請求項６６】  ブタジエン、イソプレン及びその混合物から成るグループの中から前記共役ジエンが選択されている、請求項６５に記載の方法。